【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
基板上に複合積層体を形成する方法であって、
基板上に複数の隣り合って並ぶ複合テープ（３６）のストリップを単一の置敷進行路に置くステップと、
前記置敷進行路での少なくとも特定のテープストリップの開始点をずらすステップと、
前記置敷進行路の終点で、単一の切刃（９２）を用いて一回の切断で全ての隣り合って並ぶテープストリップの端部を切断するステップと、
を含む方法。
【請求項２】
基板が曲線を持ち、基板上の複数の隣り合って並ぶ複合テープストリップが曲線パターンを形成している、請求項１に記載の方法。
【請求項３】
全てのテープストリップにほぼ同時に単一の切刃（９２）を通すことによって、隣り合って並ぶテープストリップの切断が行われる、請求項１に記載の方法。
【請求項４】
前記進行路への置敷が、開始位置から終了位置まで配置ヘッド（４０）を一回通過させることによって行われる、請求項１に記載の方法。
【請求項５】
基板上での自動繊維配置ヘッド（４０）の移動が、配置ヘッドを複数回通過するように移動させることを含み；
複数の隣り合って並ぶテープストリップを置く前記ステップが、通過させるたびに複数のテープストリップを置くことによって行われる、請求項１に記載の方法。
【請求項６】
複数のガイド（８０）を用いてテープの移動を誘導する、請求項１に記載の方法。
【請求項７】
基板上にテープストリップを締固めする、請求項１に記載の方法。
【請求項８】
基板上に繊維テープ（３６）を配置するための繊維テープ配置装置（２０）であって、
繊維テープ（３６）の供給品をそれぞれ保持する複数のテープ供給装置（３８）、
基板上にテープを締固める装置（４２）、及び
隣り合って並ぶテープの端部を一回の切断で同時に切断する単一の切刃（９２）を含む切断装置（７０）
を備える装置。
【請求項９】
切刃（９２）が、締固め装置（４２）へテープ（３６）が送られる経路を横方向に横切って延在する刃先（９２ａ）を含む、請求項８に記載の繊維テープ配置装置（２０）。
【請求項１０】
テープ（３６）が締固め装置（４２）へ送られるときに、テープが並べて配置され、
テープ（３６）が並んでいる間、切刃（９２）がテープ（３６）の端部を切断する位置にある、
請求項８に記載の繊維テープ配置装置（２０）。
【請求項１１】
テープ供給装置（３８）からテープの送りをそれぞれ開始する複数のスレッド機構（９０）をさらに備える、請求項８に記載の繊維テープ配置装置（２０）。
【請求項１２】
切断装置（７０）が、スレッド機構（９０）と締固め装置（４２）との間にある、請求項１１に記載の繊維テープ配置装置（２０）。
【請求項１３】
切断装置（７０）が、単一のアクチュエータ（９６）を含む、請求項１２に記載の繊維テープ配置装置（２０）。
【請求項１４】
テープの移動を誘導する複数のガイド（８０）、及び
テープ供給装置（３８）からテープの送りをそれぞれ開始する複数のスレッド機構（９０）
を備え、
締固め装置（４２）がスレッド機構（９０）によって送られたテープを受け入れ、テープ切断装置（７０）が、スレッド機構と締固め装置との間にあり、テープ切断装置がさらに単一のアクチュエータ（９６）を含む、
請求項８に記載の繊維テープ配置装置（２０）。
【手続補正２】
【補正対象書類名】明細書
【補正対象項目名】００３６
【補正方法】変更
【補正の内容】
【００３６】
本発明の実施形態を特定の実例となる実施形態に関連させて説明してきたが、当然ながら特定の実施形態は説明のためであり、限定するものではなく、当業者が他の変形例を発想することが可能である。
本願はつぎの実施形態を含む。
（態様１）
基板上に複合積層体を形成する方法であって：
基板の上で自動繊維配置ヘッドを移動させ；
前記繊維配置ヘッドを使用して、基板上に複数の平行する複合テープストリップを置き、これには、少なくとも特定のテープストリップの開始点をずらすことが含まれ；そして一回の切断で、全てのテープストリップの端部を切断する
ことを含む方法。
（態様２）
基板が曲線を持ち、基板上の複数の平行する複合テープストリップが曲線パターンを形成している、態様１に記載の方法。
（態様３）
全てのテープストリップにほぼ同時に単一の切刃を通すことによって、テープストリップの端部の切断が行われる、態様１に記載の方法。
（態様４）
複数の平行するテープストリップを置くステップが、開始位置から終了位置まで配置ヘッドを一回通過させる間に行われる、態様１に記載の方法。
（態様５）
配置ヘッドの移動が、配置ヘッドを複数回通過するように移動させることを含み；
通過させるたびに、少なくとも一つのテープストリップを置くことによって、複数の平行するテープストリップを置くステップが行われる、態様１に記載の方法。
（態様６）
航空機のサブアセンブリを組立てるための、態様１に記載の方法の使用。
（態様７）
態様１に記載の方法によって形成された複合積層体。
（態様８）
自動繊維配置ヘッドを使用して、基板上に複合繊維テープを配置する方法であって：
開始位置から終了位置まで基板を横切って繊維配置ヘッドを移動させ；
配置ヘッドが開始位置から終了位置まで移動するときに、個別繊維テープストリップの基板上への配置を順次開始して帯を形成し；
帯の全てのテープストリップを終了位置においてほぼ同時に切断する
ことを含む方法。
（態様９）
個別繊維テープストリップの配置の順次開始が、繊維配置ヘッド上の個別テープスレッド機構を順次始動させることによって行われる、態様８に記載の方法。
（態様１０）
全てのテープストリップの切断が：
繊維配置ヘッド上の単一の切刃機構を始動させ；
単一の切刃機構を使用して全てのテープストリップを切断する
ことによって行われる、態様９に記載の方法。
（態様１１）
個別繊維テープストリップの配置の順次開始が、テープストリップの曲線路を形成するように行われる、態様８に記載の方法。
（態様１２）
単一の切刃を使って、全てのテープストリップの切断が行われ；
共通軸に沿ってテープストリップを切断するのに単一の切刃が使用される
態様８に記載の方法。
（態様１３）
態様８に記載の方法によって配置された複合繊維テープから形成される航空機のサブアセンブリ。
（態様１４）
基板機構を有する基板上に複合繊維積層体を形成する方法であって：
自動テープ配置ヘッドを基板を横切って基板機構から離れるように第１方向に移動させ；
配置ヘッドが基板を横切って第１方向へ移動する時に、配置ヘッドを使用して複合テープストリップの第１帯を置き、これには、第１グループのうちの少なくとも特定のテープストリップの開始点をずらして基板機構の片側に第１傾斜パターンを形成することが含まれ；
第１帯のテープストリップの終了点において、第１帯のすべてのテープストリップを切断し；
自動テープ配置ヘッドを基板を横切って第２方向に基板機構から離れるように移動させ；
配置ヘッドが基板を横切って第２方向に移動する時に、配置ヘッドを使用して複合テープストリップの第２帯を置き、これには、第２帯のうちの少なくとも特定のテープストリップの開始点をずらして基板機構の別の側に第２傾斜パターンを形成することが含まれ；
第２帯のテープストリップの終了点において第２帯の全てのテープストリップを切断する
ことを含む方法。
（態様１５）
第１及び第２帯のテープストリップの切断が、ほぼ同時に帯の全てのテープストリップに単一の切刃を通すことによって行われる、態様１４に記載の方法。
（態様１６）
第１帯のテープストリップを置くステップが、基板の上で配置ヘッドを第１方向に最初に一回通過させる間に行われ、
第２帯のテープストリップを置くステップが、基板の上で配置ヘッドを第２方向に２回目に一回通過させる間に行われる、
態様１４に記載の方法。
（態様１７）
第１及び第２方向それぞれへの配置ヘッドの移動は、中心線から開始して、基板機構のほぼ全体を通過する、態様１４に記載の方法。
（態様１８）
第１及び第２帯の複合テープストリップを置くステップが、繊維配置ヘッド上の個別テープスレッド機構を順次始動させることによって行われる、態様１４に記載の方法。
（態様１９）
第１及び第２帯それぞれの全てのテープストリップの切断が：
繊維配置ヘッド上の単一の切刃機構を始動させ；
単一の切刃機構を使用して、全てのテープストリップを切断する
ことによって行われる、態様１４に記載の方法。
（態様２０）
態様１４に記載の方法によって形成された複合繊維積層体から形成される航空機のサブアセンブリ。
（態様２１）
基板上に繊維テープを配置するための繊維テープ配置装置であって：
繊維テープの供給品をそれぞれ保持する複数のテープ供給装置、
基板上にテープを締固める装置、
テープ供給装置にそれぞれ付随し、且つテープ供給装置のうちの一つから締固め装置へのテープの送りを開始するのに各々操作可能な複数のスレッド機構、及び
ほぼ同時に締固め装置へ送られる全てのテープの端部を切断する単一の切刃を含む切断装置
を備える装置。
（態様２２）
切刃が、締固め装置へテープが送られる経路を横方向に横切って延在する刃先を含む、態様２１に記載の繊維テープ配置装置。
（態様２３）
テープが締固め装置へ送られるときに、テープが並べて配置され、
テープが並んでいる間に、切刃がテープの端部を切断する位置にある、
態様２１に記載の繊維テープ配置装置。
（態様２４）
自動繊維テープ配置機械を使用して、曲線に合わせた複合積層体を形成する方法であって：
ツールを横切って自動テープ配置ヘッドを移動させ；
テープ供給源からスレッド装置へ複数の繊維テープを送り；
スレッド装置を使用して、締固めローラへのテープの送りを順次開始して、積層体の曲線を生成し；
締固めローラを使用して、ツール上にテープを当てて締固め；
単一のカッターを使用して、ほぼ同時に全てのテープの端部を切断する
ことを含む方法。
（態様２５）
機構を有する基板上に繊維テープを配置する繊維テープ配置ヘッドであって：
テープの供給品をそれぞれ保持する複数のテープ供給装置；
テープの移動を誘導する複数のガイド；
テープ供給装置からテープの送りをそれぞれ開始する複数のスレッド機構；
スレッド機構によって送られたテープを受け入れて、基板上にテープを締固める締固めローラ；及び
単一のアクチュエータと、一回のストロークで全てのテープの端部を同時に切断する単一の切刃を含む、スレッド機構と締固めローラの間のテープ切断機構
を備える繊維テープ配置ヘッド。